(57)【特許請求の範囲】
【請求項１】
目視者の視線方向に対して傾斜配置された半透過性のハーフミラーと、目視者から見てハーフミラーの裏面側に設けられた指針を駆動するムーブメント及び目盛りが刻まれた第１の文字盤と、ハーフミラーに対して前記指針及び第１の文字盤と鏡面対称位置に配置された文字等が印刷された第２の文字盤とがメーターケースに設けられ、前記指針及び第１の文字盤に刻まれた目盛りを実像とし、前記第２の文字盤に印刷された文字等を虚像として、それら実像と虚像とを組み合わせて同一平面上に指針表示するようにした虚像表示式メータにおいて、
前記第２の文字盤は、各種指針計器の数に対応してそれぞれ独立して設けられ、且つ、前記メーターケースに対するその取り付け高さを相対的に高低差を持って該メーターケースに取り付けられており、また、前記第２の文字盤を覆って前記目盛り及び文字等を立体的に見せるドーム形状の背景ケースを取り付け、目視者には、各メータが奥行き感を持って立体的な表示を実現したことを特徴とする虚像表示式メータ。
【発明の詳細な説明】
【０００１】
【発明の属する技術分野】
本発明は、ハーフミラーを透過して目視する指針などの実像部と、ハーフミラーで反射して目視する数字などの虚像部とを重ね合わせて両者を目視可能とする虚像表示式メータに関する。
【０００２】
【従来の技術】
例えば、半透過性のハーフミラーを透過して目視される指針などの実像部と、ハーフミラーで反射する数字などの虚像部とを同一平面上に重ね合わせて表示するようにした、虚像表示メーターが提案されている。
【０００３】
例えば、特開平１０−１８５６２８号公報には、この種の計器構造が開示されている。かかる計器構造は、図６に示すように、インストルメントパネルに取り付けられるケース本体１０１を有している。このケース本体１０１には、透明な見返し１０２が前方に、後部カバー１０３が後方に、上部カバー１０４が上部にそれぞれ設けられている。そして、後部カバー１０３の前方には、指針１０５及び指針１０５を駆動するムーブメント１０６を取り付けるためのケース内壁１０７が設けられている。
【０００４】
また、上部カバー１０４の前方には、前記指針１０５に対応する目盛や文字などからなる意匠部を備えた文字盤１０８が設けられている。そして、ケース本体１０１をほぼ二分するように半透過性のハーフミラー１０９が傾斜して配置されている。
【０００５】
この計器構造によれば、指針１０５については、目視方向から見てハーフミラー１０９を透過して実像として目視され、一方、文字盤１０８上の意匠部については、目視方向から見てハーフミラーで反射することで、透過方向前側に実像である指針１０５と同一面上に虚像として表示され、これら実像と虚像が合成されて立体的に目視可能となる。
【０００６】
【発明が解決しようとする課題】
しかしながら、上述の計器構造においては、例えば速度計、回転計、燃料計或いは水温計等は同一面上にそれぞれ表示されるため、立体的表示ができない。
【０００７】
そこで、本発明は、立体的な虚像表示を実現することのできる視覚的効果に優れた虚像表示式メーターを提供することを目的とする。
【０００８】
【課題を解決するための手段】
請求項１記載の発明は、目視者の視線方向に対して傾斜配置された半透過性のハーフミラーと、目視者から見てハーフミラーの裏面側に設けられた指針を駆動するムーブメント及び目盛りが刻まれた第１の文字盤と、ハーフミラーに対して前記指針及び第１の文字盤と鏡面対称位置に配置された文字等が印刷された第２の文字盤とがメーターケースに設けられ、前記指針及び第１の文字盤に刻まれた目盛りを実像とし、前記第２の文字盤に印刷された文字等を虚像として、それら実像と虚像とを組み合わせて同一平面上に指針表示するようにした虚像表示式メータにおいて、前記第２の文字盤は、各種指針計器の数に対応してそれぞれ独立して設けられ、且つ、前記メーターケースに対するその取り付け高さを相対的に高低差を持って該メーターケースに取り付けられており、また、前記第２の文字盤を覆って前記目盛り及び文字等を立体的に見せるドーム形状の背景ケースを取り付け、目視者には、各メータが奥行き感を持って立体的な表示を実現したことを特徴とする。
【０００９】
請求項１記載の発明によれば、各種指針計器に対応して独立して設けた第２の文字盤を、メーターケースに対してその取り付け高さを相対的に高低差を持って取り付けてあることから、目視者から見ると、各メーターに奥行き感が得られ、立体的な表示が可能となる。また、本発明によれば、ドーム形状の背景ケースを取り付けたことで、文字等がより一層立体的に見えるようになる。
【００１２】
【発明の実施の形態】
以下、本発明を適用した具体的な実施形態について図面を参照しながら詳細に説明する。
【００１３】
図１は本実施形態の虚像表示式メータの概略的な斜視図、図２は目視者に実像部と虚像部の合成像が認識される状態を示す説明図、図３は第２の文字盤を覆って背景ケースを取り付ける前の状態を模式的に示す分解斜視図、図４はメーターケースに対する第２の文字盤の取り付け高さに高低差を設けた状態を示す説明図、図５は各メータが奥行き感を持って表示される状態を示す模式図である。
【００１４】
＜虚像表示装置の構成＞
本実施形態の虚像表示装置１は、図１に示すように、表示パネル部となる見返り部２を露出させるようにしてインストルメントパネル（図示は省略する）に取り付けられるメーターケース３を有している。
【００１５】
メーターケース３の内部には、図２に示すように、目視者の視線方向に対して傾斜配置されるハーフミラー４と、目視者から見てハーフミラー４の裏面側に設けられた指針５を駆動するムーブメント６及び目盛が刻まれた第１の文字盤７と、ハーフミラー４に対して指針５及び第１の文字盤７と鏡面対称位置に配置された文字等が印刷された第２の文字盤８とが設けられている。
【００１６】
本実施形態では、燃料計、速度計、回転計及び水温計の４つの指針計器がメーターケース３内に設けられている。
【００１７】
ハーフミラー４は、半透過性のミラーであり、図２に示すように、目視者の視線方向に対して約４５度の角度を持って斜めに配置されている。指針５を駆動する内機としてのムーブメント６は、ハーフミラー４の裏面側であって目視者の視線方向に配置されている。
【００１８】
第１の文字盤７は、例えばアクリル樹脂などの透明樹脂板からなり、その表面に前記指針５の指標となる目盛が刻まれている。第１の文字盤７に刻まれた目盛は、透過性のインクを印刷することによって形成されているが、目盛以外の部分は黒色塗装されている。このため、ムーブメント６の背面側に配置された光源（図示は省略する）からの光りは、第１の文字盤７のうち目盛部分のみを透過し、ハーフミラー４を透過して目視者側に至ることになる。目視者側から見ると、ハーフミラー４を介して指針５と目盛とが実像として見える。
【００１９】
第２の文字盤８は、第１の文字盤７と同様にアクリル樹脂などの透明樹脂板からなり、目視者から見てハーフミラー４の上方に設けられている。かかる第２の文字盤８は、燃料計、速度計、回転計及び水温計に対応してそれぞれ独立して設けられている。例えば、所定間隔を置いて並べられた速度計の文字盤８Ｂと回転計の文字盤８Ｃの両側に、燃料計の文字盤８Ａと水温計の文字盤８Ｄをそれぞれ配置してある。
【００２０】
第２の文字盤８Ａには、図３に示すように、ハーフミラー４と対向する面８ａに文字や数字或いは目盛等の意匠９が印刷されている。かかる意匠９は、やはり透過性のインクで印刷されており、目視者がハーフミラー４を介して見たときに正規の向きで見えるように鏡像反転形状とされている。
【００２１】
そして、この第２の文字盤８Ａ〜８Ｄの裏面には、図１及び図３に示すように、当該第２の文字盤８Ａ〜８Ｄを覆ってドーム形状の背景ケース１０Ａ〜１０Ｄが取り付けられている。かかる背景ケース１０Ａ〜１０Ｄは、第２の文字盤８Ａ〜８Ｄに印刷された目盛や文字等の意匠９等を立体的に見せる役目をする。また、この背景ケース１０Ａ〜１０Ｄの内面１０ａには、必要に応じて意匠９などの背面で視覚効果を高めるための色彩や図柄を付した塗装がなされている。
【００２２】
そして、本実施形態では、背景ケース１０Ａ〜１０Ｄが取り付けられた第２の文字盤８Ａ〜８Ｄは、図１及び図４に示すように、メーターケース３に対するその取り付け高さを相対的に高低差を持って取り付けられている。具体的には、燃料計の文字盤８Ａと水温計の文字盤８Ｄに対して、速度計の文字盤８Ｂ及び回転計の文字盤８Ｃをメーターケース３に対し所定高さＨを持って取り付けてある。
【００２３】
なお、図示は省略するが、背景ケース１０Ａ〜１０Ｄ内には、第２の文字盤８に光りを照射する光源が配置されている。
【００２４】
＜作用＞
このように構成された虚像表示式メータにおいては、メーターケース３に対してそれぞれの第２の文字盤８Ａ〜８Ｄを、相対的に高低差を持って該メーターケース３に取り付けているので、目視者には、各メータが奥行き感を持って見えることになる。例えば、図５に示すように、燃料計の文字盤８Ａと水温計の文字盤８Ｄの奥に、速度計の文字盤８Ｂと回転計の文字盤８Ｃが見るようようになる。
【００２５】
また、第２の文字盤８Ａ〜８Ｄを覆うようにしてドーム形状の背景ケース１０Ａ〜１０Ｄを取り付けたことにより、当該第２の文字盤８Ａ〜８Ｄに印刷された文字９をより一層立体的なものとすることができる。
【００２６】
【発明の効果】
請求項１に記載の発明によれば、各種指針計器に対応して独立して設けた第２の文字盤を、メーターケースに対してその取り付け高さを相対的に高低差を持って取り付けてあることから、目視者から見ると、各メーターに奥行き感が得られ、立体的な表示を実現することができる。したがって、視覚的効果に優れた虚像表示式メーターを提供することができる。また、本発明によれば、第２の文字盤を覆ってドーム形状の背景ケースを取り付けたことで、文字等がより一層立体的に見えるようになり、さらなる視覚的効果を高めることができる。
【図面の簡単な説明】
【図１】本実施形態の虚像表示式メータの概略的な斜視図である。
【図２】本実施形態の虚像表示式メータを示すもので、目視者に実像部と虚像部の合成像が認識される状態を示す説明図である。
【図３】本実施形態の虚像表示式メータを示すもので、第２の文字盤を覆って背景ケースを取り付ける前の状態を模式的に示す分解斜視図である。
【図４】本実施形態の虚像表示式メータを示すもので、メーターケースに対する第２の文字盤の取り付け高さに高低差を設けた状態を示す説明図である。
【図５】本実施形態の虚像表示式メータを示すもので、各メータが奥行き感を持って表示される状態を示す模式図である。
【図６】従来の虚像表示式メータである計器構造の断面図である。
【符号の説明】
１  虚像表示式メータ
２  見返り部
３  メーターケース
４  ハーフミラー
５  指針
６  ムーブメント
７  第１の文字盤
８Ａ〜８Ｄ  第２の文字盤
１０Ａ〜１０Ｄ  背景ケース
【図１】
0004083990.tif 000002
【図２】
0004083990.tif 000003
【図３】
0004083990.tif 000004
【図４】
0004083990.tif 000005
【図５】
0004083990.tif 000006
【図６】
0004083990.tif 000007